(57)【要約】      （修正有）【課題】多数の光ファイバーケーブルを余長処理しても、取り除きやすい余長処理の構造を提供する。【解決手段】電子装置において、電子装置内の任意の位置を１度のみ通るように敷設された光ファイバーケーブルと、光ファイバーケーブル４ａ、４ｄの第１の端と接続される電子回路基板と、光ファイバーケーブル４ａ、４ｄの第２の端と接続されるパッチパネルアダプタを有するパッチパネルと、光ファイバーケーブル４ａ、４ｄの通路として、光ファイバーケーブル４ａ、４ｄの必要とする曲げ半径の通路を形成する余長処理トレーケーブルガイド１６ｄと、余長処理トレーケーブルガイド１６ｄが装着された余長処理トレ１７ーとを有する余長処理トレーユニットと、を備える。【選択図】図６
2016186602.tif 000002
【特許請求の範囲】
【請求項１】
電子装置において、
前記電子装置内の任意の位置を１度のみ通るように敷設された光ファイバーケーブルと、
前記光ファイバーケーブルの第１の端と接続される電子回路基板と、
前記光ファイバーケーブルの第２の端と接続されるパッチパネルアダプタを有するパッチパネルと、
前記光ファイバーケーブルの通路として、前記光ファイバーケーブルの必要とする曲げ半径の通路を形成する余長処理トレーケーブルガイドと、前記余長処理トレーケーブルガイドが装着された余長処理トレーとを有する余長処理トレーユニットと、
を備えたことを特徴とする電子装置。
【請求項２】
前記余長処理トレーは、前記余長処理トレーユニットの一つの面を形成して開閉可能であり、
前記余長処理トレーが閉じた状態において、前記余長処理トレーユニットの内側となる前記余長処理トレーの面に前記余長処理トレーケーブルガイドは装着され、
前記余長処理トレーが閉じた状態において、前記余長処理トレーユニットの内側となる前記余長処理トレーの面と前記パッチパネルアダプタが対面する位置に、前記余長処理トレーと前記パッチパネルは配置されたこと
を特徴とする請求項１に記載の電子装置。
【請求項３】
前記余長処理トレーユニットは、
前記余長処理トレーと接する下面と、
前記余長処理トレーが開閉可能となるように、前記下面と前記余長処理トレーとの接線を中心に回転可能にする部品と、
前記余長処理トレーが前記下面の延長線上まで開いた位置で固定する部品と
を有することを特徴とする請求項２に記載の電子装置。
【請求項４】
前記余長処理トレーユニットは、
前記余長処理トレーと接する下面と、
前記余長処理トレーが開閉可能となるように、前記下面と前記余長処理トレーとの接線を中心に回転可能にする部品と、
前記余長処理トレーが前記下面の延長線上より広い角度まで開いた位置で固定する部品と
を有することを特徴とする請求項２に記載の電子装置。
【請求項５】
前記余長処理トレーケーブルガイドは、
前記余長処理トレーに着脱するためのケーブルガイド突起部と
前記余長処理トレーから取り外された状態において、前記光ファイバーケーブルを支えるケーブルガイド光ファイバートレーと、
前記余長処理トレーに取り付けられ、前記余長処理トレーが閉じた状態において、前記光ファイバーケーブルが前記余長処理トレーケーブルガイドから脱落することを防ぐケーブルガイドケーブル押さえと、
を有することを特徴とする請求項３に記載の電子装置。
【請求項６】
前記パッチパネルは複数の前記パッチパネルアダプタを有し、
前記余長処理トレーは複数の前記余長処理トレーケーブルガイドが装着され、
前記光ファイバーケーブルは前記複数のパッチパネルアダプタの接続位置に応じて前記複数の余長処理トレーケーブルガイドの中の所定の余長処理トレーケーブルガイドを通ること
を特徴とする請求項５に記載の電子装置。
【請求項７】
前記複数の余長処理トレーケーブルガイドの中の第１の余長処理トレーケーブルガイドの形成する通路を通る前記光ファイバーケーブルは、前記複数の余長処理トレーケーブルガイドの中の第２の余長処理トレーケーブルガイドの形成する通路の外を通ること
を特徴とする請求項６に記載の電子装置。
【発明の詳細な説明】
【技術分野】
【０００１】
本発明は、電子装置に関するものである。
【背景技術】
【０００２】
近年、光通信の普及にともない光信号を処理する電子装置において、光ファイバーケーブルの収容本数が増加傾向にある。本数の増加した光ファイバーケーブルを収容するために、パッチパネルを介して電子装置へ取り込み、パッチパネルから電子装置内の電子回路基板へ内部敷設用の光ファイバーケーブルで接続する構造が一般的である。この構造では電子装置内の多数の光ファイバーケーブルの長さに余りが発生し、この余長を処理する必要がある。
【０００３】
これに対して、特許文献１には、搭載されたパッケージの下段に光ファイバーの余り長さを収容する光ファイバー収容棚を配置し、光ファイバー収容棚は垂直方向の向きで収納保持され、枢支ピンを軸として回転可能な構造であり、収納棚には光ファイバーを固定するためのクランプを複数個設け、光ファイバーを巻き付けて保持する構造が記載されている。
【０００４】
また、特許文献２には、余長処理パネルを側面の配線スペースに配置し、電子回路を搭載したパッケージと平行に余長処理パネルを収容し、余長処理作業時は余長処理パネルの下側を軸として回転させて引き出し、余長処理パネル上の余長処理部に光ケーブルを巻き取る構造が記載されている。
【先行技術文献】
【特許文献】
【０００５】
【特許文献１】特開平１０−３２２０５０号公報
【特許文献２】特開２００４−１７７７３４号公報
【発明の概要】
【発明が解決しようとする課題】
【０００６】
特許文献１や特許文献２に記載された構造を用いれば、余長を処理することは可能である。しかしながら、余長処理のために多数の光ファイバーケーブルを巻き付けると、先に敷設された光ファイバーケーブルの上に、後で敷設された光ファイバーケーブルが覆いかぶさるとともに、後で敷設された光ファイバーケーブル自体も巻き付いているため、緩めて先に敷設された光ファイバーケーブルを取り除くことが難しくなる。
【０００７】
そこで、本発明の主な目的は、多数の光ファイバーケーブルを余長処理しても、取り除きやすい余長処理の構造を提供することにある。
【課題を解決するための手段】
【０００８】
本発明に係る代表的な電子装置は、前記電子装置内の任意の位置を１度のみ通るように敷設された光ファイバーケーブルと、前記光ファイバーケーブルの第１の端と接続される電子回路基板と、前記光ファイバーケーブルの第２の端と接続されるパッチパネルアダプタを有するパッチパネルと、前記光ファイバーケーブルの通路として、前記光ファイバーケーブルの必要とする曲げ半径の通路を形成する余長処理トレーケーブルガイドと、前記余長処理トレーケーブルガイドが装着された余長処理トレーとを有する余長処理トレーユニットと、を備えたことを特徴とする。
【発明の効果】
【０００９】
本発明によれば、多数の光ファイバーケーブルを余長処理しても、取り除きやすい余長処理の構造を提供することができる。
【図面の簡単な説明】
【００１０】
【図１】電子装置の例を示す図である。
【図２】別の角度から見た電子装置の例を示す図である。
【図３】光ファイバーケーブルの接続の例を示す図である。
【図４】余長処理トレーの閉じた状態の例を示す図である。
【図５】余長処理トレーの開いた状態の例を示す図である。
【図６】余長処理トレーユニットとパッチパネルと光ファイバーケーブルとの関係の例を示す図である。
【図７】余長処理トレーを閉じて固定した状態の例を示す図である。
【図８】余長処理トレーを水平に開いて固定した状態の例を示す図である。
【図９】余長処理トレーを水平より広く開いて固定した状態の例を示す図である。
【図１０】余長処理トレーへの複数の光ファイバーケーブルの敷設の例を示す図である。
【図１１】余長処理トレーケーブルガイドへの光ファイバーケーブルの敷設の例を示す図である。
【図１２】光ファイバーケーブルとともに余長処理トレーケーブルガイドを取り外した例を示す図である。
【図１３】余長処理トレーケーブルガイドの例を示す図である。
【発明を実施するための形態】
【００１１】
以下、図面を参照しながら、好ましい実施の形態を説明する。
【００１２】
図１は電子装置の例を示す図である。電子装置は、電子装置として動作するための複数の電子回路基板３、複数の電子回路基板３を保持する電子装置ユニット２、余長処理トレーユニット５との位置関係のために図示を省略したパッチパネルと電子装置ユニット２とを接続する光ファイバーケーブル４、光ファイバーケール４の余った長さを収納する余長処理トレーユニット５、電子回路基板３と余長処理トレーユニット５との間で光ファイバーケーブル４を保持する整線部品２７ａ、２７ｂ、電子装置ユニット２と余長処理トレーユニット５と整線部品２７ａ、２７ｂとを保持する電子装置架１で構成されている。
【００１３】
ここで、電子装置は、その動作内容に限定されるものではなく、例えばコンピュータなどの処理機器、電子交換機などの通信機器であってもよく、装置内で接続するケーブルを有するものであればよい。また、図１に示した電子回路基板３と光ファイバーケーブル４と余長処理トレーユニット５の物理的な位置関係は一例であり、光ファイバーケーブル４に余りが生じる位置関係であれば、電子回路基板３と余長処理トレーユニット５とが上下逆の位置関係などであってもよい。
【００１４】
図２は別の角度から見た電子装置の例を示す図である。図１では余長処理トレーユニット５との位置関係から図示を省略したパッチパネル８を、余長処理トレーユニット５を取り外すことにより、図２では図示する。電子装置架1に搭載している電子装置ユニット２の上段にパッチパネル整線部品９とパッチパネルアダプタ１０を備えたパッチパネル８を配置する。パッチパネル整線部品９は光ファイバーケーブル４を固定する部品であり、パッチパネルアダプタ１０は電子装置内の光ファイバーケーブル４と光学的に接続する部品であり、これらについては後で図６を用いて説明する。
【００１５】
余長処理トレーユニット５は余長処理トレーユニット固定ねじ２９により電子装置架1とパッチパネル８へ固定され、パッチパネル８の正面（前面）に余長処理トレーユニット５を配置することで、パッチパネル８と余長処理トレーユニット５の空間を共用し、省スペースの実装としている。なお、電子装置への外部からのケーブルの接続は、パッチパネルアダプタ１０の延長線上の背面（裏面）から行われる。
【００１６】
図３は光ファイバーケーブル４の接続の例を示す図である。図３ではパッチパネル８が正面から見えるように余長処理トレーユニット５を非表示としてある。図２で示したパッチパネルアダプタ１０は、パッチパネルアダプタ１０Ａ、１０Ｂ、１０Ｃ、１０Ｄから構成され、複数の電子回路基板３は電子回路基板３Ａ、３Ｂ、３Ｃ、３Ｄから構成される。パッチパネル８のパッチパネルアダプタ１０Ａ、１０Ｂ、１０Ｃ、１０Ｄと電子回路基板３Ａ、３Ｂ、３Ｃ、３Ｄそれぞれの図示を省略した光コネクタとを光ファイバーケーブル４で接続している。なお、ここでの光ファイバーケーブル４は４本以上の光ファイバーケーブルをまとめたものである。
【００１７】
パッチパネルアダプタ１０Ａの領域からの光ファイバーケーブル４は、図示を省略した余長処理トレーユニット５を介して電子回路基板３Ａの領域へ至る。以下同様にパッチパネルアダプタ１０Ｂ、１０Ｃ、１０Ｄそれぞれの領域からの光ファイバーケーブル４は、電子回路基板３Ｂ、３Ｃ、３Ｄそれぞれの領域へ至る。ここで、同じ長さの光ファイバーケーブルを使用すると余りが生じるので、余長を余長処理トレーユニット５で収容する。
【００１８】
図４は余長処理トレー１７の閉じた例を示す図である。図４に示した余長処理トレーユニット５の状態は、図１、２にも示した状態である。余長処理トレーユニット５の外形は、正面の余長処理トレー１７、左面の余長処理トレーフレーム左側１８、右面の余長処理トレーフレーム右側板２５、上面の余長処理トレーフレーム上側板３５から構成される。余長処理トレーフレーム左側１８は左右が逆の逆コの字型であり、その内側に余長処理トレー整線部品１３が固定される。余長処理トレー整線部品１３は光ファイバーケーブル４を通す部品であり、その個数は２以上であってもよい。
【００１９】
余長処理トレー１７は余長処理トレー蝶番１２により回転可能に接続され、余長処理トレー固定ねじ１１により回転が制限されている。この余長処理トレー蝶番１２と余長処理トレーフレーム右側板２５については図５を用いて後で説明する。図４の例では、余長処理トレー固定ねじ１１は２個あり、余長処理トレーフレーム左側１８と余長処理トレーフレーム右側板２５のそれぞれと余長処理トレー１７とを固定するものであるが、余長処理トレー１７の回転を制限できれば、他の位置で固定するものでもよい。
【００２０】
余長処理トレー１７には、トレーの入口整線部品２０とトレーの出口整線部品２１がそれぞれ固定されている。トレーの入口整線部品２０とトレーの出口整線部品２１のそれぞれは、余長処理トレー１７へ光ファイバーケーブル４を導く部品である。余長処理トレーフレーム上側板３５は、余長処理トレーフレーム左側１８と余長処理トレーフレーム右側板２５のそれぞれに接続され、それぞれを固定するものである。
【００２１】
図５は余長処理トレー１７の開いた例を示す図である。余長処理トレー蝶番１２を回転軸として余長処理トレー１７を開いた状態である。図４と同じものには同じ符号を付け、ここでの説明を省略する。余長処理トレー固定部２６は余長処理トレーフレーム左側１８と余長処理トレーフレーム右側板２５のそれぞれと固定され、余長処理トレーフレーム上側板３５とともに余長処理トレーフレーム左側１８と余長処理トレーフレーム右側板２５の位置を決める。なお、図５の例において、余長処理トレーフレーム左側１８と余長処理トレーフレーム右側板２５と余長処理トレーフレーム上側板３５と余長処理トレー固定部２６とに囲まれた部分は空いている。
【００２２】
そして、余長処理トレー蝶番１２はその回転軸を挟んで余長処理トレー固定部２６と余長処理トレー１７のそれぞれにねじ固定され、余長処理トレー１７は余長処理トレー固定部２６を基準として開閉可能である。余長処理トレー１７の背面に余長処理トレーケーブルガイド１６ａ、１６ｂ、１６ｃ、１６ｄを備える。この例では４個備えられているが、３個以下でもよいし、５個以上であってもよい。余長処理トレーケーブルガイド１６ａ、１６ｂ、１６ｃ、１６ｄに対する光ファイバーケーブル４の敷設については、図６を用いて説明する。
【００２３】
余長処理トレーフレーム右側板２５は略正方形の板である。余長処理トレーフレーム左側１８は光ファイバーケーブル４を通すために逆コの字型であり、剛性は高くないが、余長処理トレーフレーム右側板２５を板とすることにより、余長処理トレーユニット５全体としての剛性が確保される。また、後で説明するように多数の光ファイバーケーブル４の質量が加わる余長処理トレー１７の位置を保持する余長処理トレー用ステー段付きねじ２４周辺の強度を保つことができる。
【００２４】
余長処理トレーフレーム右側板２５には余長処理トレー用ステー段付きねじ２４が固定されている。余長処理トレー用ステー１４は、この余長処理トレー用ステー段付きねじ２４に摺動可能な状態で固定されているとともに、余長処理トレーステー軸３２で余長処理トレー１７へ回転可能に固定されている。これにより、余長処理トレー１７は開閉可能となるとともに、開く角度が制限される。
【００２５】
余長処理トレー用ステー保護金物１５は余長処理トレーフレーム右側板２５に固定され、
余長処理トレー１７が閉じた際に光ファイバーケーブル４と余長処理トレー用ステー１４が接触して光ファイバーケーブル４が損傷しないように、余長処理トレー用ステー１４の可動範囲を覆うものである。光ファイバーケーブル４の通る位置については、図６を用いて説明する。
【００２６】
図６は、余長処理トレーユニット５へパッチパネル８を接続し、光ファイバーケーブル４を敷設した例を示す図である。図６の例では見やすいように余長処理トレーフレーム上側板３５を取り外してある。また、パッチパネルアダプタ１０の中の２個をパッチパネルアダプタ１０ａ、１０ｄとし、光ファイバーケーブル４の中の２本を光ファイバーケーブル４ａ、４ｄとする。図６に示した光ファイバーケーブル４ａ、４ｄのように敷設するため、余長処理トレーフレーム左側１８は逆コの字型とすることにより、正面から光ファイバーケーブル４ａ、４ｄを敷設することができ、スムーズに作業可能な構成としている。
【００２７】
パッチパネルアダプタ１０ａに接続された光ファイバーケーブル４ａは、パッチパネル８のパッチパネル整線部品９を通り、余長処理トレー整線部品１３とトレーの入口整線部品２０を通り、余長処理トレーケーブルガイド１６aに沿わされて方向転換し、トレーの出口整線部品２１を通り、架側の領域を経由して、図１に示した電子回路基板３へ接続されるように敷設される。図６の例では、パッチパネルアダプタ１０ａとパッチパネル整線部品９の間での光ファイバーケーブル４ａに弛みは少ないが、さらに弛みが多くてもよい。また、余長処理トレー１７を閉めたことによる光ファイバーケーブル４ａの余りをパッチパネルアダプタ１０ａとパッチパネル整線部品９の間の弛みとしてもよい。
【００２８】
パッチパネルアダプタ１０ｄに接続された光ファイバーケーブル４ｄは、余長処理トレー整線部品１３とトレーの入口整線部品２０を通り、余長処理トレーケーブルガイド１６ｄに沿わされて、トレーの出口整線部品２１を通り、架側の領域を経由して、図１に示した電子回路基板３へ接続されるように敷設される。一例として光ファイバーケーブル４ａ、４ｄを用いて説明したが、他の光ファイバーケーブル４も同様に余長処理量にあわせて、余長処理トレーケーブルガイド１６ｂ、１６ｃを経由して敷設される。
【００２９】
また、コスト削減のために同じ長さの光ファイバーケーブル４を使用し、パッチパネルアダプタ１０ａと余長処理トレー整線部品１３の間の敷設距離が長い光ファイバーケーブル４ａは、トレーの入口整線部品２０とトレーの出口整線部品２１の間の敷設距離が短い余長処理トレーケーブルガイド１６ａを経由させ、パッチパネルアダプタ１０ｄと余長処理トレー整線部品１３の間の敷設距離が短い光ファイバーケーブル４ｄは、トレーの入口整線部品２０とトレーの出口整線部品２１の間の敷設距離が長い余長処理トレーケーブルガイド１６ｄを経由させるというように、パッチパネル１０などの接続の位置にあわせて、
異なる余長処理トレーケーブルガイド１６を経由してもよい。
【００３０】
なお、図６からも明らかなように、余長処理トレー１７を開いた状態では電子装置の外部からパッチパネルアダプタ１０ａ、１０ｄなどへの作業が可能であり、余長処理トレー１７を閉じた状態では電子装置の外部からパッチパネルアダプタ１０ａ、１０ｄなどへの物理的なアクセスを制限できる。
【００３１】
図７から図９を用いて余長処理トレーユニット５の動作を説明する。図７は余長処理トレー１７を閉じた状態で左から見た側面図の例である。パッチパネル８の正面側に余長処理トレーユニット５が配置される。なお、パッチパネル８の左側面板は非表示としている。また、パッチパネルアダプタ１０ｄに接続された光ファイバーケーブル４ｄは、余長処理トレー１７を閉じた状態においても図６を用いて説明したように、余長処理トレー整戦部品１３を通り、トレーの入口整線部品２０とトレーの出口整線部品２１を通るが、図７では図が煩雑になるため途中から省略してある。
【００３２】
余長処理トレー整線部品１３へ光ファイバーケーブル４を通しやすくするため、余長処理トレー整線部品１３は角３３を軸としてロの字型を開閉可能にしてもよい。トレーの出口整線部品２１も角３４を軸としてロの字型を開閉可能にしてもよく、図示を省略するが、トレーの入口整線部品２０も開閉可能にしてもよい。
【００３３】
余長処理トレー蝶番１２は余長処理トレー固定部２６と余長処理トレー１７のそれぞれに固定され、図７の例は余長処理トレー１７が閉じた状態であり、余長処理トレー固定ねじ１１を締めることにより、閉じた状態で固定されている。そして、余長処理トレー固定ねじ１１を緩めて、余長処理トレー固定部２６と余長処理トレー１７の間を回転可能に固定している余長処理トレー蝶番１２を中心に回転させ、余長処理トレー１７を開くことができる。
【００３４】
図８は余長処理トレー１７を開いた状態で左から見た側面図の例である。余長処理トレー１７は余長処理トレー固定部２６に対して余長処理トレー蝶番１２により回転可能であって、図８の例では余長処理トレー１７を垂直から９０度開いた状態であり、余長処理トレー１７は水平で保持される。余長処理トレー１７を開くことにより、パッチパネル８及び余長処理トレー１７内部への作業が可能となる。図８に示した状態において図６を用いて説明したように、光ファイバーケーブル４ｄはトレーの入口整線部品２０を通るが、図示を途中から省略してある。
【００３５】
余長処理トレー用ステー１４と余長処理トレー１７とは、図５で図示した余長処理トレーステー軸３２により余長処理トレー用ステー１４の端で回転可能に固定されている。また、余長処理トレー用ステー１４には余長処理トレーステー溝２３があり、余長処理トレーステー溝２３を余長処理トレー用ステー段付きねじ２４が摺動可能に組み合わされている。余長処理トレーステー溝２３には、図８に示したように余長処理トレー用ステー段付きねじ２４の位置に段差があり、余長処理トレー用ステー１４は、余長処理トレー１７の質量により正面方向へ引っ張られ、余長処理トレー用ステー１４自体の質量により下方向へ引っ張られるため、この位置に固定され、余長処理トレー１７は水平で保持される。
【００３６】
余長処理トレー１７に閉じる方向へ力が加わると、余長処理トレーステー溝２３は余長処理トレー用ステー段付きねじ２４を摺動し、余長処理トレー１７は図７に示した閉じた状態となる。余長処理トレー用ステー１４に上方へ力が加わると、余長処理トレー１７がさらに開く方向に、余長処理トレーステー溝２３は摺動可能である。
【００３７】
図９は余長処理トレー１７をさらに開いた状態で左から見た側面図の例である。余長処理トレー１７は余長処理トレー固定部２６に対して余長処理トレー蝶番１２により回転可能であって、図９の例では余長処理トレー１７を垂直から１３５度、水平から４５度開いた状態である。余長処理トレー１７が図８の例より大きく開くことにより、余長処理トレーユニット５が電子装置架１の高い位置に配置されても、スムーズに作業可能な構成としている。なお、余長処理トレーユニット５が電子装置架１の低い位置に配置された場合は、図８の例の方がスムーズに作業可能である。図９に示した状態においても図６を用いて説明したように、光ファイバーケーブル４ｄはトレーの入口整線部品２０を通るが、図示を途中から省略してある。
【００３８】
図９に示したように余長処理トレーステー溝２３の端まで余長処理トレー用ステー段付きねじ２４が到達すると、余長処理トレー用ステー１４は、余長処理トレー１７の質量により正面方向へ引っ張られるため、この位置に固定される。余長処理トレー１７に閉じる方向へ力が加わると、余長処理トレーステー溝２３は余長処理トレー用ステー段付きねじ２４を摺動し、余長処理トレーステー溝２３の段差の位置で、余長処理トレー用ステー１４自体の質量により余長処理トレー用ステー１４は下方向へ移動し、図８に示した状態となる。そして、その後も余長処理トレー１７に閉じる方向へ力が加わると、図８を用いて説明したように、余長処理トレー１７は閉じた状態となる。
【００３９】
図１０は余長処理トレー１７への光ファイバーケーブル４の複数の敷設の例を示す図である。図１０の例では、余長処理トレーケーブルガイド１６ａ、１６ｂ、１６ｃ、１６ｄのそれぞれを経由させる光ファイバーケーブル４のそれぞれを光ファイバーケーブル４ａ、４ｂ、４ｃ、４ｄとする。トレーの入口整線部品２０を通された光ファイバーケーブル４は余長処理する長さに応じて余長処理トレーケーブルガイド１６ａ、１６ｂ、１６ｃ、１６ｄのいずれかを経由してトレーの出口整線部品２１へ戻すように敷設される。
【００４０】
すなわち、既に図６を用いて説明したように、余長処理量に合った余長処理トレーケーブルガイド１６を使用する。このとき余長処理トレーケーブルガイド１６へは光ファイバーケーブル４を巻き付けないので、収容替えや保守で光ファイバーケーブル４を取り除く際、任意の1本のみを取り除きやすくなる。ここで、巻き付けないとは、１本の光ファイバーケーブル４が同じ位置を通り重なるという状態がない、任意の位置を１度のみ通ることを意味する。
【００４１】
例えば、取り除く１本が光ファイバーケーブル４ｂの場合、後で説明するように余長処理トレーケーブルガイド１６ｂは取り外しが可能であるため、余長処理トレーケーブルガイド１６ｂを取り外して、光ファイバーケーブル４ｂを取り除くことにより、他の光ファイバーケーブル４ａ、４ｃ、４ｄとは別に取り除くことができる。さらに、余長処理トレーケーブルガイド１６ｂが光ファイバーケーブル４ｂ以外の複数の光ファイバーケーブル４で使用されていても、取り外した余長処理トレーケーブルガイド１６ｂを左方へ移動することにより、光ファイバーケーブル４を巻きつけないので、光ファイバーケーブル４ｂは容易に見つけられて取り除かれることが可能になる。
【００４２】
図１１は余長処理トレーケーブルガイド１６への光ファイバーケーブル４の敷設の例を示す図である。なお、図１１の例は図１０に示した４つの余長処理トレーケーブルガイド１６ａ、１６ｂ、１６ｃ、１６ｄの中の１つの余長処理トレーケーブルガイド１６ａであるが、他の余長処理トレーケーブルガイド１６ｂ、１６ｃ、１６ｄも同じである。既に説明したように光ファイバーケーブル４ａはトレーの入口整線部品２０とトレーの出口整線部品２１を通される。
【００４３】
余長処理トレーケーブルガイド１６ａは、ケーブルガイド光ファイバートレー２２、ケーブルガイドケーブル押さえ１９を有する。そして、光ファイバーケーブル４ａを余長処理トレーケーブルガイド１６aで処理する場合、余長処理トレーケーブルガイド１６ａのケーブルガイド光ファイバートレー２２へ光ファイバーケーブル４aが通される。
【００４４】
このときケーブルガイドケーブル押さえ１９は、例えば図７に示したように余長処理トレー１７を閉じた状態において、光ファイバーケーブル４ａがケーブルガイド光ファイバートレー２２から脱落するのを防ぐ。ケーブルガイド光ファイバートレー２２とケーブルガイドケーブル押さえ１９を含む余長処理トレーケーブルガイド１６ａにより光ファイバーケーブル４ａの通路となる空間が形成され、この通路は光ファイバーケーブル４ａの必要とする曲げ半径となる空間である。
【００４５】
余長処理トレーケーブルガイド１６ａは複数の光ファイバーケーブル４を処理してもよい。この場合は、ケーブルガイドケーブル押さえ１９とケーブルガイド光ファイバートレー２２の間に複数の光ファイバーケーブル４を通すことになる。また、別の余長処理トレーケーブルガイド１６ｄなどで光ファイバーケーブル４ｄなどを余長処理する場合、光ファイバーケーブル４ｄなどはケーブルガイド光ファイバートレー２２の下あるいは横の空間を通される。
【００４６】
図１２は光ファイバーケーブル４ａとともに余長処理トレーケーブルガイド１６aを取り外した例を示す図である。図１２に示したように余長処理トレーケーブルガイド１６ａを余長処理トレー１７から取り外すと、ケーブルガイド光ファイバートレー２２により光ファイバーケーブル４ａも余長処理トレーケーブルガイド１６ａとともに移動する。次に収容替えや保守で交換や撤去が必要な光ファイバーケーブル４に対する手順を説明する。
【００４７】
例えば光ファイバーケーブル４ａを取り除く場合、余長処理トレーケーブルガイド１６ａが取り外されると、図１２からも明らかなように光ファイバーケーブル４ａをケーブルガイドケーブル押さえ１９とケーブルガイド光ファイバートレー２２との隙間から容易に取り除くことが可能である。そして、トレーの入口整線部品２０とトレーの出口整線部品２１のいずれか一方から光ファイバーケーブル４ａを引っ張ってもよいし、図７を用いて説明したように、角３４を軸としてトレーの出口整線部品２１を開き、トレーの入口整線部品２０も同様に開いて、光ファイバーケーブル４ａを取り除いてもよい。
【００４８】
ここで、光ファイバーケーブル４ａも含めて複数の光ファイバーケーブル４がトレーガイド光ファイバートレー２２を通されている場合、光ファイバーケーブル４を巻きつけないので、余長処理トレーケーブルガイド１６ａをトレーの入口整線部品２０とトレーの出口整線部品２１の方向へ少し移動することにより複数の光ファイバーケーブル４は緩み、複数の光ファイバーケーブル４の中の任意の１本を容易に取り除くことが可能である。
【００４９】
余長処理トレーケーブルガイド１６ａのケーブルガイド光ファイバートレー２２の下あるいは横の空間を通されている例えば光ファイバーケーブル４ｄなどを取り除く場合、余長処理トレーケーブルガイド１６ａが取り外され、余長処理トレー１７上で作業の邪魔にならない箇所に仮置されると、作業スペースが確保され容易に作業が可能となる。そして、光ファイバーケーブル４ｄなどを容易に取り除くことが可能である。なお、光ファイバーケーブル４ｄを取り除く場合、光ファイバーケーブル４ｄが通された余長処理トレーケーブルガイド１６ｄを取り外してもよく、他の光ファイバーケーブル４の敷設の状況に応じて他の余長処理トレーケーブルガイド１６を取り外してもよい。
【００５０】
光ファイバーケーブル４の交換や撤去作業が完了した後にケーブルガイド１６aを余長処理トレー１７の元の位置に嵌め込む。図１２の例では余長処理トレーケーブルガイド１６aの取り外しを示したが、余長処理トレーケーブルガイド１６ｂから１６ｄも同様に取り外して作業することが可能である。また、新たな光ファイバーケーブル４を敷設する際にも、必要に応じて余長処理トレーケーブルガイド１６を取り外してもよく、余長処理トレーケーブルガイド１６を取り外すことにより容易に敷設することが可能となる。
【００５１】
図１３は余長処理トレーケーブルガイド１６を取り外した例を示す図である。余長処理トレーケーブルガイド１６ａは、既に説明したケーブルガイド光ファイバートレー２２とケーブルガイドケーブル押さえ１９に加えて、ケーブルガイド突起部３０から構成されている。なお、余長処理トレー１７における位置の関係から余長処理トレーケーブル１６ａについて説明するが、他の余長処理トレーケーブルガイド１６も同じ構成である。
【００５２】
ケーブルガイド光ファイバートレー２２は、例えば図１３に示した略半円であって円外側に囲いのある形状であるが、この形状に限定されるものではなく、光ファイバーケーブル４ａと余長処理トレー１７との間に位置し、余長処理トレーケーブルガイド１６ａの取り外しにともなって光ファイバーケーブル４ａが移動し、光ファイバーケーブル４ａが余長処理トレーケーブルガイド１６ｂなどの他の余長処理トレーケーブルガイド１６に干渉しない形状であればよい。
【００５３】
ケーブルガイドケーブル押さえ１９は、例えば図１３に示した５個の板であるが、この形状に限定されるものではなく、余長処理トレーケーブルガイド１６ａが余長処理トレー１７へ嵌め込まれた状態において、光ファイバーケーブル４ａがケーブルガイドケーブル押さえ１６の方向へ脱落しない形状であればよい。また、ケーブルガイドケーブル押さえ１９を通して光ファイバーケーブル４ａを目視による確認ができ、光ファイバーケーブル４ａへ物理的にアクセス可能な形状が好ましい。
【００５４】
ケーブルガイドケーブル押さえ１９とケーブルガイド光ファイバートレー２２との間の余長処理トレーケーブルガイド１６ａは、例えば図１３に示した略半円筒形であるが、この形状に限定されるものではなく、一般に光ファイバーケーブルは特定の曲げ半径より小さく曲げると光信号の損失が増大したり破損したりするため、光ファイバーケーブル４ａの必要とする曲げ半径以上となるようにガイドする形状であればよい。
【００５５】
余長処理トレーケーブルガイド１６ａは、余長処理トレー１７に着脱可能であり、ケーブルガイド突起部３０が余長処理トレー１７のケーブルガイド用穴３１に差し込まれ、ケーブルガイド突起部３０のツメが引っかかることにより固定される。余長処理トレーケーブルガイド１６ａは、外力によりツメが移動し、取り外し可能となる。
【００５６】
以上で説明したように、余長処理トレーユニット５を省スペースの実装とすることが可能であり、余長処理トレー１７をパッチパネルアダプタ１０のカバーに兼用でき、余長処理トレー１７を開けるだけでパッチパネルアダプタ１０への作業と余長処理の作業の両方が可能である。また、余長処理された多数の光ファイバーケーブル４の中から任意の１本のみを容易に取り除くことが可能である。さらに、余長処理トレーユニット５の配置される高さに応じて作業のしやすい余長処理トレーの開度の選択が可能である。
【符号の説明】
【００５７】
１  電子装置架
４ａ、４ｂ、４ｃ、４ｄ  光ファイバーケーブル
５  余長処理トレーユニット
８  パッチパネル
１２  余長処理トレー蝶番
１３  余長処理トレー整線部品
１４  余長処理トレー用ステー
１６ａ、１６ｂ、１６ｃ、１６ｄ  余長処理トレーケーブルガイド
１７  余長処理トレー
１９  ケーブルガイドケーブル押さえ
２０  トレーの入口整線部品
２１  トレーの出口整線部品
２２  ケーブルガイド光ファイバートレー
２３  余長処理トレー用ステー溝
２４  余長処理トレー用ステー段付きねじ
【図１】
2016186602.tif 000003
【図２】
2016186602.tif 000004
【図３】
2016186602.tif 000005
【図４】
2016186602.tif 000006
【図５】
2016186602.tif 000007
【図６】
2016186602.tif 000008
【図７】
2016186602.tif 000009
【図８】
2016186602.tif 000010
【図９】
2016186602.tif 000011
【図１０】
2016186602.tif 000012
【図１１】
2016186602.tif 000013
【図１２】
2016186602.tif 000014
【図１３】
2016186602.tif 000015